【手続補正書】
【提出日】平成29年3月15日(2017.3.15)
【手続補正１】
【補正対象書類名】明細書
【補正対象項目名】発明の名称
【補正方法】変更
【補正の内容】
【発明の名称】システム、画像形成装置、及びその方法
【手続補正２】
【補正対象書類名】特許請求の範囲
【補正対象項目名】全文
【補正方法】変更
【補正の内容】
【特許請求の範囲】
【請求項１】
パーソナルコンピュータと、記録紙に印刷出力を行うためのプリンタエンジンを備える画像形成装置と、を含むシステムであって、
前記画像形成装置の備える一部の機能に対応する設定の管理者のパスワードを管理する管理手段と、
前記パーソナルコンピュータのウェブブラウザを介して、前記複数の設定を操作する際に、パスワードの入力を受け付ける受付け手段と、
１つの設定画面として、ＵＳＢインターフェースを利用した処理を制限するか否か、ＦＡＸにより外部へデータ転送する機能を制限するか否か、及び、ネットワークを用いた外部へのデータ転送のための機能を制限するか否か、をそれぞれ指定できる前記設定画面を、前記ウェブブラウザに対して提供する提供手段と、
前記受け付け手段により前記管理者のパスワードの入力を受け付けた際には、前記設定画面を介した指定に従うＵＳＢインターフェースを利用した処理の制限、前記ＦＡＸにより外部へデータ転送する機能の制限、及び、前記ネットワークを用いた外部へのデータ転送のための機能の制限、のそれぞれについての設定の設定値を、前記パーソナルコンピュータから前記画像形成装置に送信する送信手段と、
前記画像形成装置で、前記設定画面を介した指定に従うＵＳＢインターフェースを利用した処理の制限、前記ＦＡＸにより外部へデータ転送する機能の制限、及び、前記ネットワークを用いた外部へのデータ転送のための機能の制限、のそれぞれについての設定の設定値を反映する反映手段と、を有することを特徴とするシステム。
【請求項２】
前記画像形成装置は、前記複数の設定値の反映に従い、ＵＳＢインターフェースを利用した処理、前記第１機能及び、前記第２機能のそれぞれに対応する操作画面におけるメニューが選択された場合に、該選択に対応する機能が利用できないことを示すメッセージを表示することを特徴とする請求項１に記載のシステム。
【請求項３】
前記第２機能には、電子メールによるデータ転送を含むことを特徴とする請求項１または２に記載のシステム。
【請求項４】
前記提供手段は、前記画像形成装置のウェブサーバー、または、前記画像形成装置を含む複数の画像形成装置を管理する管理装置により、前記設定画面を、前記ウェブブラウザに対して提供することを特徴とする請求項１乃至３のいずれか１項に記載のシステム。
【請求項５】
パーソナルコンピュータと、記録紙に印刷出力を行うためのプリンタエンジンを備える画像形成装置と、を含むシステムにおける方法であって、
前記画像形成装置の備える一部の機能に対応する設定の管理者のパスワードを管理する管理工程と、
前記パーソナルコンピュータのウェブブラウザを介して、前記複数の設定を操作する際に、パスワードの入力を受け付ける受付け工程と、
１つの設定画面として、ＵＳＢインターフェースを利用した処理を制限するか否か、ＦＡＸにより外部へデータ転送する機能を制限するか否か、及び、ネットワークを用いた外部へのデータ転送のための機能を制限するか否か、をそれぞれ指定できる前記設定画面を、前記ウェブブラウザに対して提供する提供工程と、
前記受け付け工程で前記管理者のパスワードの入力を受け付けた際には、前記設定画面を介した指定に従うＵＳＢインターフェースを利用した処理の制限、前記ＦＡＸにより外部へデータ転送する機能の制限、及び、前記ネットワークを用いた外部へのデータ転送のための機能の制限、のそれぞれについての設定の設定値を、前記パーソナルコンピュータから前記画像形成装置に送信する送信工程と、
前記画像形成装置で、前記設定画面を介した指定に従うＵＳＢインターフェースを利用した処理の制限、前記ＦＡＸにより外部へデータ転送する機能の制限、及び、前記ネットワークを用いた外部へのデータ転送のための機能の制限、のそれぞれについての設定の設定値を反映する反映工程と、を有することを特徴とする方法。
【請求項６】
記録紙に印刷出力を行うためのプリンタエンジンを備える画像形成装置であって、
前記画像形成装置の備える一部の機能に対応する設定の管理者のパスワードを管理する管理手段と、
１つの設定画面として、ＵＳＢインターフェースを利用した処理を制限するか否か、ＦＡＸにより外部へデータ転送する機能を制限するか否か、及び、ネットワークを用いた外部へのデータ転送のための機能を制限するか否か、をそれぞれ指定できる前記設定画面を、パーソナルコンピュータのウェブブラウザに対して提供する提供手段と、
前記ウェブブラウザを介して前記管理者のパスワードの入力を受け付けた際には、前記設定画面を介した指定に従うＵＳＢインターフェースを利用した処理の制限、前記ＦＡＸにより外部へデータ転送する機能の制限、及び、前記ネットワークを用いた外部へのデータ転送のための機能の制限、のそれぞれについての設定の設定値を、自装置に反映する反映手段と、
を有することを特徴とする画像形成装置。
【請求項７】
前記画像形成装置は、前記複数の設定値の反映に従い、ＵＳＢインターフェースを利用した処理、前記ＦＡＸにより外部へデータ転送する機能、及び、前記ネットワークを用いた外部へのデータ転送のための機能のそれぞれに対応する操作画面におけるメニューが選択された場合には、該選択に対応する機能が利用できないことを示すメッセージを表示することを特徴とする請求項６に記載の画像形成装置。
【請求項８】
記録紙に印刷出力を行うためのプリンタエンジンを備える画像形成装置における方法であって、
前記画像形成装置の備える一部の機能に対応する設定の管理者のパスワードを管理する管理工程と、
１つの設定画面として、ＵＳＢインターフェースを利用した処理を制限するか否か、ＦＡＸにより外部へデータ転送する機能を制限するか否か、及び、ネットワークを用いた外部へのデータ転送のための機能を制限するか否か、をそれぞれ指定できる前記設定画面を、パーソナルコンピュータのウェブブラウザに対して提供する提供工程と、
前記ウェブブラウザを介して前記管理者のパスワードの入力を受け付けた際には、前記設定画面を介した指定に従うＵＳＢインターフェースを利用した処理の制限、前記ＦＡＸにより外部へデータ転送する機能の制限、及び、前記ネットワークを用いた外部へのデータ転送のための機能の制限、のそれぞれについての設定の設定値を、自装置に反映する反映工程と、
を有することを特徴とする方法。
【請求項９】
記録紙に印刷出力を行うためのプリンタエンジンを備える画像形成装置の備える一部の機能に対応する設定の管理者のパスワードを管理する管理手段と、
１つの設定画面として、ＵＳＢインターフェースを利用した処理を制限するか否か、ＦＡＸにより外部へデータ転送する機能を制限するか否か、及び、ネットワークを用いた外部へのデータ転送のための機能を制限するか否か、をそれぞれ指定できる前記設定画面を、パーソナルコンピュータのウェブブラウザに対して提供する提供手段と、
前記ウェブブラウザを介して前記管理者のパスワードの入力を受け付けた際には、前記設定画面を介した指定に従うＵＳＢインターフェースを利用した処理の制限、前記ＦＡＸにより外部へデータ転送する機能の制限、及び、前記ネットワークを用いた外部へのデータ転送のための機能の制限、のそれぞれについての設定の設定値を、自装置に反映する反映手段として、画像形成装置を機能させるためのプログラム。
【手続補正３】
【補正対象書類名】明細書
【補正対象項目名】０００７
【補正方法】削除
【補正の内容】